(57)【要約】      （修正有）【課題】作業性の優れた継手着脱工具を提供する。【解決手段】継手の着脱に用いる継手着脱工具Ｐにおいて、長手方向中間において支軸１３に回動自在に支持された一対の杆体１，１の先端部に一対の第１挟持部２１，２１を設けた。第１挟持部２１，２１は、互いに離隔するように設けられ、両杆体１，１を通る平面と交差するように折れ曲がり、把持部１１を互いに近づくように閉操作したときに閉じて継手を両側から挟持するように構成されている。【選択図】図１
0003206209.tif 000002
【実用新案登録請求の範囲】
【請求項１】
継手の着脱に用いるための継手着脱工具であって、
各々の長手方向中間において支軸により互いに回動自在に支持された一対の杆体と、
前記一対の杆体の基端部に形成された把持部と、
前記一対の杆体の先端部に互いに離隔するように設けられ、両杆体を通る平面と交差するように折れ曲がり、前記把持部を互いに近づくように閉操作したときに閉じて前記継手を両側から挟持するように構成された一対の第１挟持部とを備えている
ことを特徴とする継手着脱工具。
【請求項２】
請求項１記載の継手着脱工具において、
前記第１挟持部が閉じたときに該第１挟持部の先端同士が当接する
ことを特徴とする継手着脱工具。
【請求項３】
請求項１記載の継手着脱工具において、
前記第１挟持部と前記支軸との間の前記一対の杆体に設けられ、前記把持部の閉操作により閉じて対象物を挟持する一対の第２挟持部と、
前記一対の第２挟持部と前記支軸との間の前記一対の杆体に設けられ、対向する壁面が半円形状に凹陥した挟持面を有し、前記把持部の閉操作により閉じて前記挟持面で管状体を挟持する一対の第３挟持部とを備えている
ことを特徴とする継手着脱工具。
【請求項４】
請求項１記載の継手着脱工具において、
当該継手着脱工具の前記第１挟持部の離隔間隔が変更できるように構成されている
ことを特徴とする継手着脱工具。
【請求項５】
請求項１記載の継手着脱工具において、
前記第１挟持部は、前記一対の杆体を通る平面との間の折れ曲がり角度が９０°以下である
ことを特徴とする継手着脱工具。
【考案の詳細な説明】
【技術分野】
【０００１】
本考案は、継手又の着脱に用いる継手着脱工具に関するものである。
【背景技術】
【０００２】
一般的に、温水床暖房・パネルヒーティング等（以下、単に床暖房等という）の液送や流量制御において、熱源機と床暖房等との間に樹脂製のヘッダーを介在させる方法が用いられている。例えば、ヘッダーと床暖房等との間は樹脂製の配管（以下、樹脂管という）で接続されており、この樹脂管は、例えば、その先端部に装着された樹脂製のＱＦ（クイックファスナー）アダプター継手を用いてヘッダーに取り付けられている。また、ヘッダーの接続口のうち、使用しない接続口には、樹脂製のプラグが嵌め込まれている。例えば、非特許文献の２４９頁及び２５０頁には、ヘッダー、ジョイント（ＱＦアダプター継手）及びプラグの一例が開示されている。
【先行技術文献】
【非特許文献】
【０００３】
【非特許文献１】電子カタログ“給湯暖房システム部材”、２４９〜２５３頁、［online］、新和産業株式会社、［平成２８年６月１日検索］、インターネット＜http://www.shinwasangyo-net.co.jp/prod4_23.pdf＞
【考案の概要】
【考案が解決しようとする課題】
【０００４】
ところで、一般的に、樹脂製の継手は、径方向外側の対向する位置に、先端部に爪部が形成されかつ径方向へのたわみ変形が可能に一体形成された係止部を有しており、この係止部の弾性によって爪部が径方向に変形してヘッダーの接続部外壁に係止されることで、抜け止めされるようになっている（非特許文献１の２４９頁参照）。したがって、作業者は、メンテナンスや交換に際し、上記係止部を爪部が径方向外側に向かうようにたわませてその抜け止めを解除し、たわませた状態を保持しながら継手を引き抜く必要がある。
【０００５】
しかしながら、長期間が経過していると、継手の係止部が固くなってたわませにくくなる場合がある。また、水垢等により、継手がヘッダーの内壁に固着されている場合がある。このような場合、継手の取り外しに大きな力を要する。これに対し、非特許文献１の２５３頁には、係止部による係止を解除するための専用治具が開示されている。この専用治具は、係止部による係止が解除された状態を維持するために用いられるが、継手が固着している場合に継手の引き抜きに大きな力が必要であることに変わりがない。また、ヘッダーには複数の接続部が近接して併設されている場合があり、このような治具を用いた作業がしにくい場合がある。
【０００６】
汎用のプライヤーを用いることも考えられるが、継手の引き抜き作業において力が入りにくいという問題がある。具体的には、樹脂製の継手に配管が接続されている場合、引抜方向と直交する方向から開操作したプライヤーを挿入し、プライヤーを閉操作して係止部をたわませた後に、その状態を保持しつつ、挿入方向と直交する方向に勘合部材を引き抜く必要がある。このとき、腕を挿入した方向（腕の延びる方向）と直交する方向つまり腕を振る方向にプライヤーを動かす必要があり、力が入りにくく作業性が悪化するという問題がある。狭い場所での作業も多いため、作業性がさらに悪くなる場合がある。また、係止部は、非特許文献１にも例示されているとおり、弾性変形可能に構成するために剛性が高くないため、一連の作業者によるプライヤー操作の中で力が入りすぎると係止部が破壊される場合がある。
【０００７】
上記の課題に鑑み、本考案の目的は、上記問題を解決可能に構成された使い勝手のよい継手着脱工具を提供することにある。
【課題を解決するための手段】
【０００８】
本考案の一態様では、継手の着脱に用いるための継手着脱工具において、各々の長手方向中間において支軸により互いに回動自在に支持された一対の杆体と、前記一対の杆体の基端部に形成された把持部と、前記一対の杆体の先端部に互いに離隔するように設けられ、両杆体を通る平面と交差するように折れ曲がり、前記把持部を互いに近づくように閉操作したときに閉じて前記継手を両側から挟持するように構成された一対の第１挟持部とを備えている。
【０００９】
ここで、本考案において継手とは、樹脂性の配管等の管状体と、ヘッダー等の被接続対象物の接続口との間を接続するためのジョイント部材に加えて、プラグのように、ヘッダー等の接続口を閉塞するような部材を含む概念である。すなわち、本考案における継手とは、ジョイント等の接続部材に限定されるものではなく、被接続対象物の接続口に嵌入される嵌入部材を広く含む概念である。
【００１０】
上記態様に係る継手着脱工具は、支軸の軸方向に向かって一体的に延びる第１挟持部を設けたので、作業者が把持部を操作して第１挟持部で継手を着脱する際に、自然な手の角度で（例えば、腕の向きに沿うようにその引き動作で）継手着脱工具を移動させることができるため、作業しやすい構造になっている。また、第１挟持部が各杆体から互いに離れる方向に向かって支軸の軸方向に向かうように延びているため、作業者が把持部を完全に閉操作した場合においても、第１挟持部の間に開閉方向の所定の間隔ができ、継手に必要以上の力がかからないようにすることができる。したがって、作業者が継手を破壊しないようにするために力加減をする必要がない。
【００１１】
前記第１挟持部が閉じたときに該第１挟持部の先端同士が当接してもよい。
【００１２】
これにより、作業者が作業中に継手着脱工具を軸方向に移動させた場合においても、継手着脱工具が外れないようにすることができる。また、作業者が把持部を完全に閉操作した場合に、第１挟持部の先端同士が当接して第１挟持部がそれ以上閉じないように構成されており、作業者が継手を破壊しないようにするために力加減をする必要がない。
【００１３】
前記第１挟持部と前記支軸との間の前記一対の杆体に設けられ、前記把持部の閉操作により閉じて対象物を挟持する一対の第２挟持部と、前記一対の第２挟持部と前記支軸との間の前記一対の杆体に設けられ、対向する壁面が半円形状に凹陥した挟持面を有し、前記把持部の閉操作により閉じて前記挟持面で管状体を挟持する一対の第３挟持部とを備えていてもよい。
【００１４】
これにより、継手の着脱作業、樹脂管Ｌバンド（樹脂管バンド）の取り付け及び取外し及び樹脂管を挟持しての作業を１本の継手着脱工具で実現することができ、温水床暖房・パネルヒーティング等に係る取付、交換、修理作業において、必要な作業のほぼすべての網羅することができるため、非常に使い勝手がよい。
【００１５】
当該継手着脱工具の前記第１挟持部の離隔間隔が変更できるように構成されていてもよい。
【００１６】
これにより、１本の継手着脱工具で異なる大きさの継手の着脱作業ができるようになる。
【００１７】
前記第１挟持部は、前記一対の杆体を通る平面との間の折れ曲がり角度が９０°以下であってもよい。
【００１８】
このような傾斜にすることで、作業者が継手着脱工具の第１挟持部で継手を挟持した場合に、自然な手の角度で継手着脱工具を操作することができるので、作業性が向上する。なお、第１挟持部の一対の杆体を通る平面との間の折れ曲がり角度が９０°に近い角度であるのが好ましい。これにより、より自然な手の角度で継手着脱工具を操作することができ、作業性がさらに向上する。
【考案の効果】
【００１９】
本考案に係る継手着脱工具は、作業者が継手を着脱する際に、自然な手の角度で継手着脱工具を移動させることができ、継手に必要以上の力がかからないように構成されているため、作業者の使い勝手がよい継手着脱工具を提供することができる。
【図面の簡単な説明】
【００２０】
【図１】継手着脱工具を正面下側から見た斜視図である。
【図２】第１挟持部の間隔変更について説明するための図である。
【図３】第２挟持部について説明するための図である。
【図４】第３挟持部について説明するための図である。
【図５】ヘッダー及び継手の一例を示す正面図である。
【図６】継手の着脱作業に係る継手着脱工具及び継手の状態を例示した図である。
【図７】継手の着脱作業に係る継手着脱工具及び継手の状態を例示した図である。
【考案を実施するための形態】
【００２１】
以下、本考案の実施形態を図面に基づいて詳細に説明する。以下の好ましい実施形態の説明は、本質的に例示に過ぎず、本考案、その適用物或いはその用途を制限することを意図するものでは全くない。
【００２２】
図１に示すように、本実施形態に係る継手着脱工具としての継手着脱工具Ｐは、略Ｓ字状に延びる一対の杆体１，１を備えている。一対の杆体１，１は、例えばステンレス等の金属製である。一対の杆体１，１の基端部には、作業者が開閉操作をするための把持部１１，１１が形成されている。
【００２３】
図２に示すように、各杆体１は、長手方向中間における先端寄りの部位において幅広に構成された幅広部１２を有する。一方の杆体１の幅広部１２には、幅方向の偏った位置に円形状の軸孔１２ａ（図２参照）が厚さ方向に貫通形成されている。また、他方の杆体１の幅広部１２には、幅方向中央が若干括れた長円状の長孔１２ｂが厚さ方向に貫通形成されている。軸孔１２ａ及び長孔１２ｂには、位置合わせがされた状態で円柱状の支軸１３が挿通され、軸方向への抜け止めがされている。これにより、一対の杆体１，１は、支軸１３により揺動するように（回動自在に）軸支されている。具体的には、両把持部１１，１１は、接離して開閉するように構成されており、作業者の操作を受けて両把持部１１，１１が開閉されると、一対の杆体１，１の先端部も接離して開閉する。上記閉操作された場合における継手着脱工具Ｐの状態を閉状態ともいい、開操作された場合における継手着脱工具Ｐの状態を開状態という。
【００２４】
また、長孔１２ｂを設けたので、長孔１２ｂにおける支軸１３（軸孔１２ａ）の位置が変わることにより、図２の実線及び仮想線で示すように、一対の杆体１，１の互いの位置を幅方向にずらすことができる。すなわち、図２に示すように、継手着脱工具Ｐの開状態及び閉状態に係る第１挟持部２の開口幅（開口の広さ）を例えばＷ１からＷ２に変えることができ、サイズの異なる継手に対応させることができるようになる。なお、本実施形態では、支軸１３を挿通する孔（軸孔１２ａ及び長孔１２ｂ）の形状を工夫することで、第１挟持部２の開口の広さを可変可能にしたが、当該開口広さを調整するための構造は特に限定されない。例えば、図示しないが、後述する一対の第１挟持部２１，２１が幅方向に伸縮して離隔間隔が調整できるような構成になっていてもよい。
【００２５】
なお、図示しないが、把持部１１に、滑り止め加工が施されていてもよい。例えば、把持部１１の一部を削って段部を形成する等の滑り止め加工が施されていてもよいし、把持部１１が滑り止め用のカバーで覆われていてもよい。なお、本実施形態では、説明の便宜上、継手着脱工具Ｐ（一対の杆体１，１）の長手方向において、把持部１１が形成されている側を基端側又は下側と称し、その反対側を先端側または上側と称する。
【００２６】
一対の杆体１，１の先端部には、前側に向かって延びる一対の第１挟持部が一体的に突設されている。より具体的には、各杆体１の先端部には、半円形リング状の第１挟持部としての片部２１（以下、第１挟持部２１という）が前側に向かって延びるように一体に突設されている。この第１挟持部２１は、支軸１３から離れるに従って、相対する第１挟持部２１から離れた後に該第１挟持部２１に近づくように円弧上に湾曲しており、継手着脱工具Ｐが閉操作されて一対の杆体１，１の先端同士が互いに当接したときに、対向する第１挟持部２１，２１の前後の端部同士が互いに突き合わされて略円形のリング状をなすように構成されている。換言すると、略円形のリング状をなす一対の第１挟持部２１，２１は、両杆体１，１を通る平面（図１及び図２の紙面に沿う平面）と交差するように前側に向かって折れ曲がっている。継手着脱工具Ｐにおいて、一対の第１挟持部２１，２１が形成されている方を前側と称し、その反対側を後側と称する。
【００２７】
ここで、図３及び図４に示すように、第１挟持部は、前後方向に対して、若干先端側が上向くように傾斜角θで傾斜していてもよい。このような構成とすることにより、継手の着脱に係る作業性がさらに向上する。すなわち、このような傾斜を設けることで、継手着脱工具Ｐの第１挟持部２で継手を挟持した場合に、自然な手の角度で継手着脱工具Ｐを操作することができる。また、例えば、後述するヘッダー５及びプラグ６の背後に壁がある場合に、継手着脱工具Ｐと壁面との間に作業者の手が入るスペースを確保することができるというメリットもある。ここで、第１挟持部２の杆体１に対する傾斜角θは任意に設定することが可能であるが、略直角から先端側に若干傾斜させるような角度であるのが好ましい。
【００２８】
図３に示すように、一対の杆体１，１の先端部において、前壁と後壁との間は閉状態において当接するように構成され、当該当接部分により一対の第２挟持部３１，３１を構成している。この一対の第２挟持部３１，３１の後壁は、斜め前側に向かって傾斜している。これにより、例えば、樹脂製の管状の配管７（以下、樹脂管７という）が挿通され、継手に対して樹脂管７を抜け止めするために用いるバンド８の締め付けを解除するための操作突起８１を挟持する場合に、継手着脱工具Ｐを斜めにした状態で挟持することができ、作業しやすい構造となっている。
【００２９】
また、図４に示すように、一対の杆体１，１は、それぞれ、第１挟持部２と幅広部１２との間において、双方の対向する壁面が半円形状に切り欠かれた切欠部４１を有する。一対の切欠部４１，４１により、把持部１１の開閉操作により開閉して樹脂管７を跨いで挟持できるように構成されており、当該部分で一対の第３挟持部４１，４１を構成している。
【００３０】
図５は、熱源機（図示省略）と床暖房（図示省略）等との間に設けられるヘッダー５と、ヘッダー５に嵌合される継手としてのプラグ６の一例を示している。なお、プラグ６は、継手着脱工具Ｐの先端側（上側）に向かって嵌合され、基端側（下側）に向かって引き抜かれるものとする。
【００３１】
図５に示すように、ヘッダー５は図面横方向に延びる管状のヘッダー本体５１を有し、ヘッダー本体５１から下側に向かって管状の接続部５２が突設されている。ヘッダー本体５１と接続部５２とは連通しており、相互間は液密状態に接続されている。接続部５２の下端部には、上下方向に貫通形成された断面円形状の接続口５３（図７参照）が開口するとともに、周方向の外側において上側に向かって広がる傾斜面を有するリング状の顎部５４が一体的に突設されている。
【００３２】
プラグ６は、下端部が下壁部６１ａ（図６参照）によって閉塞された円筒状のプラグ本体６１と、プラグ本体６１の直径方向に対向する位置の径方向外側に突設された一対の係止部６２とを備えている。
【００３３】
プラグ本体６１は、ヘッダー５の接続口５３よりも若干小さい円筒状の嵌合部６１ｂと、嵌合部の下側において接続部の下端面に当接させてプラグを係止するためのフランジ部６１ｃとをさらに備えている。嵌合部６１ｂには、上下方向に離間する複数の周溝６１ｄ，６１ｄが形成されていて、各周溝６１ｄにはＯリング６１ｅが嵌められており、プラグ６がヘッダー５の接続部５２に嵌合されたときに液密状態になるように構成されている。
【００３４】
各係止部６２は弾性変形可能な材料からなるもので、プラグ本体６１のフランジ部６１ｃの下側において、径方向外側に向かって延びる第１腕部６３ａと、第１腕部６３ａの先端から一体的に上下方向の延びる第２腕部６３ｂとからなる腕部６３を有する。第２腕部６３ｂの上端部には、径方向内側に爪部６４が一体的に突設され、第２腕部６３ｂの下端部には、径方向外側に突出する段部６５が一体的に突設されている。これにより、プラグ６の嵌合部６１ｂをヘッダー５の接続口５３の接続口５３に嵌入すると、プラグ６の腕部６３が顎部５４の傾斜面に沿ってたわみながら移動し、爪部６４の下端部が顎部５４の上端をこえたとき、腕部６３の付勢力により、爪部６４と顎部５４とが係止されるようになっている。また、第２腕部６３ｂの下端部に外側から内向きの力が加えられると腕部６３がたわんで、爪部６４が径方向外側に広がり、爪部６４と顎部５４との係止が解除されるようになっている。
【００３５】
なお、本実施形態では、プラグ６を例に説明しているが、ヘッダー５への嵌入対象がアダプターであっても同様である。図５において仮想線で例示しているように、継手としてのアダプターは、プラグ６の下壁部が開口しており、該開口と連通した円筒状の管接続部が下向きに延伸されている。管接続部の外壁には、樹脂管を抜け止めするための抜止段部が形成されている。それ以外の構成、以下に説明する着脱操作等はプラグ６と同様であり、その詳細説明を省略する。
【００３６】
次に、図６及び図７を用いて、本実施形態に係る継手着脱工具Ｐを用いたプラグ６の着脱作業について詳細に説明する。なお、図６及び図７において、作業者は紙面奥側において作業するものとする。また図５と同様に、ヘッダー５の接続口５３は下向きに開口しているものとし、プラグ６は上下方向に抜き差しされるものとする。
【００３７】
まず、プラグ６の取り外し作業について詳細に説明する。
【００３８】
作業者は、継手着脱工具Ｐの把持部１１を開操作して、第１挟持部２の間隔を広げ、継手着脱工具Ｐを紙面手前側に動かして、第１挟持部２をプラグ６の段部６５の上側からあてがうようにする。その後、作業者は、継手着脱工具Ｐの把持部１１を掴んで閉操作することで、プラグ６の腕部６３をたわませて、プラグ６の爪部６４とヘッダー５の顎部５４との係止を解除する（図６参照）。その状態を保持したまま、継手着脱工具Ｐを下側に向かって引き下げる。そうすると、図７に示すように、プラグ６が引き抜かれ、プラグ６の取り外し作業は完了する。
【００３９】
このとき、第２腕部６３ｂの下端部に段部６５が設けられているため、第１挟持部２の下端部と段部６５の上端とが当接して引っかかり、継手着脱工具Ｐが抜け止めされる。また、図６に示すように、継手着脱工具Ｐが閉操作された際に一対の杆体１，１の先端部同士及び一対の第１挟持部２１，２１の前後の壁面同士が互いに当接するように構成されているため、第１挟持部２の開口幅の最小幅が規定され、必要以上に強い力が腕部６３に与えられない。これにより、作業者が強い力で把持部１１を把持したとしても、プラグ６の腕部６３が破壊されることはない。すなわち、作業者が把持力を加減する必要がなく、非常に作業しやすい構成になっている。なお、図６では、杆体１，１の先端部同士及び第１挟持部２１，２１の前後の壁面同士の両方が互いに当接されるものとしたが、杆体１，１の先端部同士並びに第１挟持部２１，２１の前壁面同士及び後壁面同士のいずれか１つが互いに当接するようにしても同様の効果が得られる。ただし、すべてを互いに当接させることで位置安定性が高くなる。
【００４０】
次に、プラグ６の取り付け作業について詳細に説明する。
【００４１】
プラグ６の取り付けは、直接手で行うことも可能であるが、作業場所が狭い場合や、経時劣化等によりプラグ６の腕部６３がたわみにくくなった場合等に、継手着脱工具Ｐを用いて取り付け作業をすることが有効である。具体的に、作業者は、第１挟持部２の間にプラグを挿入し、継手着脱工具Ｐの把持部１１を閉操作して、プラグ６の腕部６３をたわませ、プラグ６とヘッダー５の接続口５３との位置合わせをして上側に向かって押し込む。図６の状態まで押し込んだ後、作業者が把持部１１の把持力を解除すると、プラグ６の腕部６３の付勢力により、プラグ６の爪部６４とヘッダー５の顎部５４とが係止される。
【００４２】
なお、第１挟持部２の間にプラグ６の腕部６３を挿入し、継手着脱工具Ｐの把持部１１を軽く握った状態で、プラグ６とヘッダー５の接続口５３との位置合わせをして上側に押し込むようにしてもよい（図７参照）。そうすることで、プラグ６の腕部６３が顎部５４の傾斜面に沿ってたわみながら移動し、爪部６４の下端部が顎部５４の上端をこえると、腕部６３の付勢力により、爪部６４と顎部５４とが係止される。
【００４３】
以上のように、本実施形態によると、継手着脱工具Ｐに対して、前側に向かって一体的に突設された第１挟持部２を設けたので、作業者が継手（例えばプラグ６）を引き抜く際に、自然な手の角度で、すなわち、腕を伸縮させる方向に沿う方向に継手着脱工具Ｐを操作することができ、継手着脱工具Ｐを継手の引き抜き方向に移動させやすくなる。さらに、一対の第１挟持部２１，２１がリング状になっているので、把持部１１が完全に閉操作された場合においても、第１挟持部２１，２１の前後方向の中間位置同士は当接せずに所定の離隔間隔を保っている。これにより、例えば、第１挟持部２１，２１の離隔間隔を調整することにより、プラグ６の腕部６３をたわませるのに必要な力以上の力が与えられないようにすることができる。上記離隔間隔の調整は、あらかじめ設計で行っていてもよいし、図２に示すように継手着脱工具Ｐの構成を工夫して作業者が後から調整できるようにしてもよい。
【００４４】
また、本実施形態に係る継手着脱工具には、第１〜第３挟持部２１，３１，４１が設けられており、継手の着脱作業、樹脂管Ｌバンド（樹脂管バンド）の取り付け及び取外し、及び樹脂管を挟持しての作業を１本の継手着脱工具で実現することができ、温水床暖房・パネルヒーティング等に係る取付、交換、修理作業において、必要な作業のほぼすべての網羅することができるため、非常に使い勝手がよい。
【００４５】
なお、上記実施形態では、説明の便宜上、第１挟持部２が継手着脱工具Ｐの前側に設けられ、一対の第２挟持部３１，３１が継手着脱工具Ｐの後側に設けられている例を示したが、一対の第１挟持部２１，２１と一対の第２挟持部３１，３１の位置が反対であってもよい。また、一対の第１及び第２挟持部２１，２１，３１，３１と、第３挟持部４１，４１の上下方向の位置が反対になってもかまわない。
【産業上の利用可能性】
【００４６】
本考案によると、例えば、温水床暖房・パネルヒーティング等に係る取付、交換、修理作業に極めて有用であり、産業上の利用可能性が高い。
【符号の説明】
【００４７】
Ｐ  継手着脱工具
１  杆体
１１  把持部
２１  第１挟持部
３１  第２挟持部
４１  第３挟持部
６  プラグ（継手）
【図１】
0003206209.tif 000003
【図２】
0003206209.tif 000004
【図３】
0003206209.tif 000005
【図４】
0003206209.tif 000006
【図５】
0003206209.tif 000007
【図６】
0003206209.tif 000008
【図７】
0003206209.tif 000009